(57)【要約】      （修正有）【課題】人が着る衣服あるいは身の回り品又はバッグに装着することによって、斬新なデザインを提供することが可能なぬいぐるみ玩具と装着具との組合せを提供する。【解決手段】ぬいぐるみ玩具９９の後頭部の表層内側部に第１マグネットＭ１が内蔵され、装着具Ｆにも第２のマグネットＭ２が具備され、被装着体Ｃにぬいぐるみ玩具９９を装着する際は、被装着体Ｃを挟んで、第１のマグネットＭ１と第２のマグネットＭ２が双方の磁極軸を自動的に一致させて磁着する。【選択図】図１
2018061800.tif 000002
【特許請求の範囲】
【請求項１】
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の自重と動荷重を支えることを特徴とするぬいぐるみ玩具９９と装着具Ｆとの組合せ。
ここに、磁極軸とは、Ｓ極とＮ極の軸線をいう。磁極軸の向きは、Ｓ極からＮ極へ向かう方向をさすものとする。外側とは、ぬいぐるみ玩具９９の内側から外側に向かう方向をいう。内側とは、ぬいぐるみ玩具９９の内側から外側に向かう方向をいう。
Ｐ：磁着圧縮力（Ｋｇ重）、μ：ぬいぐるみ玩具９９と被装着体Ｃの摩擦係数（無次元数）、Ｔ：磁石求心力（ｋｇ重）
【請求項２】
座った姿態のぬいぐるみ玩具９９の臀部の表層内側部に第１のマグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、ぬいぐるみ玩具９９が被装着体Ｃからのずれを防止することを特徴とする請求項１に記載されたぬいぐるみ玩具９９と装着具Ｆとの組合せ。
【請求項３】
第１のマグネットＭ１及び第２のマグネットＭ２が、丸磁石又は角磁石であり、装着具Ｆにも第２のマグネットＭ２が上下対称に具備されることを特徴とする請求項１〜２の何れかに記載されたぬいぐるみ玩具９９と装着具Ｆとの組合せ。
【請求項４】
被装着体Ｃがバッグ又は被服であることを特徴とする請求項１〜３の何れかに記載されたぬいぐるみ玩具９９と装着具Ｆとの組合せ。
【請求項５】
装着具Ｆが、シリコンシートに第２のマグネットＭ２を内蔵させたものであることを特徴とする請求項１〜４の何れかに記載されたぬいぐるみ玩具９９と装着具Ｆとの組合せ。
【請求項６】
第１マグネットＭ１が２個内蔵され、装着具ＦにもマグネットＭ２が２個具備されたことを特徴とする請求項１〜５の何れかに記載されたぬいぐるみ玩具９９と装着具Ｆとの組合せ。
【発明の詳細な説明】
【技術分野】
【０００１】
本発明は、ぬいぐるみ玩具と装着具との組合せに関する。
【背景技術】
【０００２】
従来、ぬいぐるみ玩具を人が移動させる場合、手に持って歩きながら移動させていた。
しかしながら、人が、ぬいぐるみ玩具を手に持つために手が塞がってしまい、他の作業をするには不便であった。
【発明の開示】
【０００３】
かかる従来技術の欠点に鑑みて、ぬいぐるみ玩具をバッグにワンタッチで装着可能で、被服にワンタッチで装着可能なぬいぐるみ玩具と装着具の組合せの出現が望まれていた。
【先行技術文献】
【特許文献】
【０００４】
本願発明に係るぬいぐるみ玩具と装着具との組合せについて、ＦＩ、キーワード検索を行ったところ、本件発明（ぬいぐるみ玩具と装着具との組合せ）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
人が着る衣服あるいは身の回り品又はバッグに２次元的模様を付すのではなく、立体的なぬいぐるみ玩具を人が着る衣服あるいは身の回り品又はバッグに装着することによって、斬新なデザインを提供することが可能なぬいぐるみ玩具と装着具との組合せを提供することである。
○本発明が解決しようとする第２課題
本発明が解決しようとする第２課題は、
人が着る衣服あるいは身の回り品又はバッグの種類を選ばず自在に装着することが可能なぬいぐるみ玩具と装着具との組合せを提供することである。
○本発明が解決しようとする第３課題
本発明が解決しようとする第３課題は、
人が着る衣服あるいは身の回り品又はバッグの種類を選ばず自在に装着することが可能なぬいぐるみ玩具と装着具との組合せにあっては、人が歩く際の衝撃等によって、ぬいぐるみ玩具の自重の他に動荷重を受けるが、摩擦力に依存するだけではなく、磁石の力によってもぬいぐるみ玩具の（自重＋動荷重）を牽引して支えるぬいぐるみ玩具と装着具との組合せを提供することである。
○本発明が解決しようとする第４課題
本発明が解決しようとする第４課題は、
人が着る衣服あるいは身の回り品又はバッグの種類を選ばず自在に装着することが可能なぬいぐるみ玩具と装着具との組合せにあっては、被装着体にぬいぐるみ玩具を装着する際は、被装着体を挟んで、２つのマグネットが最大の磁力作用を発揮できるような状態に自動的に磁着することができるぬいぐるみ玩具と装着具との組合せを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○マグネットＭとは、平板状の磁石であって一方の面がＳ極で一方の面がＮ極の磁石をいう。
マグネットＭは、例えば、円形断面の円柱であり、例えば、長方形断面の四角柱（直方体）である。
本発明において、マグネットＭとは、第１のマグネットＭ１、第２のマグネットＭ２である。
第１のマグネットＭ１、第２のマグネットＭ２の断面形状が等しいことが望ましい。第１のマグネットＭ１と第２のマグネットＭ２の対峙する面が重なる面積が大きい程、第１のマグネットＭ１と第２のマグネットＭ２に働く圧縮力Ｐ（すなわち摩擦力μＰ、μ’Ｐ）及び磁石求心力Ｔを最大にするからである。
○第１のマグネットＭ１とは、ぬいぐるみ玩具９９の後頭部の表層内側部に内蔵された磁石、又は、座った姿態のぬいぐるみ玩具９９の臀部の表層内側部に内蔵された磁石をいう。
○第２のマグネットＭ２とは、装着具Ｆに具備された磁石をいう。
○ぬいぐるみ玩具９９とは、芯にする物を布等で包んで縫い合わせて、人や動物等の形に作った玩具をいう。人や動物の形の他、花、植物、怪獣、キャラクタ等の形も含む。
○装着具Ｆとは、第２のマグネットＭ２を具備してなり、ぬいぐるみ玩具９９と被装着体Ｃを挟んで、ぬいぐるみ玩具９９の自重と動荷重を支える、あるいは、ぬいぐるみ玩具９９と被装着体Ｃがずれるのを防止するものである。
例えば、装着具Ｆが、シリコンシートに第２のマグネットＭ２を内蔵させたものが例示される。
○表層とは、ぬいぐるみ玩具９９の布地の部分をいう。
○表層内側部とは、ぬいぐるみ玩具９９の表層（布地）の極内側近傍をいう。ぬいぐるみ玩具９９に内蔵されるマグネットＭ１と装着具Ｆに内蔵されたマグネットＭ２の磁力は、マグネットＭ１とマグネットＭ２の距離は近ければ近い程望ましいからである。
○第１のマグネットＭ１が内蔵されとは、例えば、第１のマグネットＭ１は袋体で包装されてなり、袋体はぬいぐるみ玩具９９と結合されてり、第１のマグネットＭはぬいぐるみ玩具９９に固着されてなる。
○装着具Ｆにも第２のマグネットＭ２が具備されてなりとは、例えば、装着具Ｆがシリコンシートであり、第２のマグネットＭ２は装着具Ｆに一体として固着されている。
○磁極軸とは、マグネットＭにおいて、Ｓ極とＮ極を結ぶ軸線をいう。
○磁極軸の向きとは、磁極軸においてＳ極からＮ極へ向かう方向をいう。正負の区別をする。すなわち、Ｓ極からＮ極へ向かう方向が正の向きであり、Ｓ極からＮ極へ向かう方向を負の向き（逆向き）である。
ぬいぐるみ玩具９９と装着具Ｆを被装着体Ｃに装着する場合、を第１のマグネットＭ１の磁極軸の向きと第２のマグネットＭ２の磁極軸の向きは一致させるようにすることが必須である（図８、図９）。
厳格に一致させなくとも、第１のマグネットＭ１と第２のマグネットＭ２の間には、磁石求心力Ｔの復元力が働き、第１のマグネットＭ１の磁極軸と第２のマグネットＭ２の磁極軸は自動的に一致させるように働き、両磁極軸が自動的に一致すれば、第１のマグネットＭ１と第２のマグネットＭ２の対峙する面が自動的に一致するように働き、第１のマグネットＭ１と第２のマグネットＭ２に働く圧縮力Ｐ（すなわち摩擦力μＰ、μ’Ｐ）及び磁石求心力Ｔを自動的に最大にするように働くという当業者が予測できない顕著な効果を発揮する（図８、図９、図１０）。
○ぬいぐるみ玩具９９を被装着体Ｃに装着する場合、第１のマグネットＭ１と第２のマグネットＭ２の磁極軸の向きが、略同じ方向になるような状態に設定される。
そして、第１のマグネットＭ１と第２のマグネットＭ２は引き合って磁着圧縮力Ｐを生じさせると共に、マグネットＭ１と被装着体Ｃの間には、摩擦力μＰが生じ、同時に、マグネットＭ２と被装着体Ｃの間には、摩擦力μ’Ｐが生じる。
さらに、見逃し易い力ながら、第１のマグネットＭ１と第２のマグネットＭ２間に働く磁石求心力Ｔが生じる。
２つの力、摩擦力μＰ、磁石求心力Ｔによって、被装着体Ｃがぬいぐるみ玩具９９の自重と動荷重を支える。
ここに、摩擦力μ’Ｐは、第１のマグネットＭ１と第２のマグネットＭ２間に働く磁石求心力Ｔと被装着体Ｃの自重＋動荷重Ｗ’によって生じ、
μ’Ｐ＝Ｔ＋Ｗ’が成立する。
○磁着圧縮力Ｐとは、被装着体Ｃを挟んで、第１のマグネットＭ１と第２のマグネットＭ２が磁着することによって、第１のマグネットＭ１と第２のマグネットＭ２の間に生じる圧縮力をいう。
○摩擦係数μとは、ぬいぐるみ玩具９９と被装着体Ｃの摩擦係数（無次元数）をいう。
○摩擦係数μ’とは、装着具Ｆと被装着体Ｃの摩擦係数（無次元数）をいう。
○磁石求心力Ｔとは、マグネットＭ１の軸線と、マグネットＭ２の軸線がΔだけずれた場合、マグネットＭ１の軸線と、マグネットＭ２の軸線を一致させるように働く復元力である（図１０）。
マグネットＭ１の軸線と、マグネットＭ２の軸線がΔだけずれた場合、磁石求心力Ｔは、下式で与えられる（図１０）。
Ｔ＝Ｋ＊Δ……（１）式
ここに、Δ：第１のマグネットＭ１の軸線と第２のマグネットＭ２の軸線のズレ（ｃｍ）、Ｋ：定数（Ｋｇ重／ｃｍ）
○外側とは、ぬいぐるみ玩具９９の内側から外側に向かう方向をいう。
○内側とは、ぬいぐるみ玩具９９の外側から内側に向かう方向をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜記号の説明＞
Ｐ：磁着圧縮力（Ｋｇ重）
μ：ぬいぐるみ玩具９９と被装着体Ｃの摩擦係数（無次元数）
μ’：装着具Ｆと被装着体Ｃの摩擦係数（無次元数）
Ｔ：磁石求心力（ｋｇ重）  
Ｔ＝Ｋ＊Δ……（１）式
磁石求心力Ｔ（ｋｇ重）とは、２つのマグネットＭ１、Ｍ２がΔだけずれた場合、下式で与えられる力をいう。
Ｔ＝Ｋ＊Δ……（１）式
ここに、Δ：第１のマグネットＭ１の軸線と第２のマグネットＭ２の軸線のズレ（ｃｍ）、Ｋ：定数（Ｋｇ重／ｃｍ）
μＰ：ぬいぐるみ玩具９９と被装着体Ｃの間に作用する垂直方向の摩擦力（ｋｇ重）
μ’Ｐ：装着具Ｆと被装着体Ｃの間に作用する垂直方向の摩擦力（ｋｇ重）
Ｗ：ぬいぐるみ玩具９９の自重＋動荷重（ｋｇ重）
ここに、ぬいぐるみ玩具９９の中には第１マグネットＭ１が内蔵されており、Ｗには第１マグネットＭ１の自重＋動荷重が含まれる。
Ｗ’：装着具Ｆの自重＋動荷重（ｋｇ重）
ここに、ぬいぐるみ玩具９９の中には第２マグネットＭ２が具備されており、Ｗ’には第２マグネットＭ２の自重＋動荷重が含まれる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜ぬいぐるみ玩具９９と装着具Ｆと被装着体Ｃとの間に作用する力の釣り合い式＞…図８において
図８において、被装着体Ｃの両面に垂直方向に圧縮力Ｐが作用し、被装着体Ｃの両面には、反重力方向に、摩擦力μＰ、μ’Ｐが作用する。
ぬいぐるみ玩具９９には、荷重（Ｗ−Ｔ）が作用する。かかる荷重を摩擦力μＰにより支える。このことを数式化して下式を得る。
μＰ＝Ｗ−Ｔ……（ａ）式
変形すれば、
Ｗ＝μＰ＋Ｔ……（Ａ）式
一方、装着具Ｆには、荷重（Ｗ’＋Ｔ）が作用する。かかる荷重を摩擦力μ’Ｐにより支える。このことを数式化して下式を得る。
μ’Ｐ＝Ｗ’＋Ｔ……（ｂ）式
変形すれば、
Ｔ＝μ’Ｐ−Ｗ’……（Ｂ）式
発明者は、第１マグネットＭ１と第２マグネットＭ２の間に、圧縮縮力Ｐが作用する以外にも、磁石求心力Ｔが発生することを発見し、
（Ａ）式から、ぬいぐるみ玩具９９の自重＋動荷重Ｗを、摩擦力μＰと磁石求心力Ｔにより支えることを発見した。
しかしながら、（Ｂ）式において、装着具Ｆの自重＋動荷重Ｗ’は、ぬいぐるみ玩具９９の自重＋動荷重Ｗに比較して非常に小さいので、Ｔ≒μ’Ｐと近似できる。すなわち、摩擦力μ’Ｐは磁石求心力Ｔを支えるようにする必要が有る。
ここにおいて、摩擦力μ’Ｐを大きくするためには、圧縮力Ｐを大きくする他、摩擦係数μ’を大きくする必要が有るが、例えばシリコンシート面と被装着体Ｃの間卒係数μ’を大きくする必要が有るが、ぬいぐるみ玩具９９の布地面と被装着体Ｃの間卒係数μを大きくするよも簡単である。
したがって、磁石求心力Ｔは、圧縮力Ｐに負けず劣らず大きな力なので（摩擦力μＰＰに負けず劣らず大きな力なので）、ぬいぐるみ玩具９９の自重＋動荷重Ｗを、摩擦力μＰと磁石求心力Ｔにより支えることを想到したことは、非常に落下し難いぬいぐるみ玩具９９と装着具Ｆとの組合せの発明を完成させたことになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜ぬいぐるみ玩具９９と装着具Ｆと被装着体Ｃとの間に作用する力の釣り合い式＞…図９において
図９において、被装着体Ｃの両面に垂直方向に圧縮力Ｐが作用し、被装着体Ｃの両面には、水平方向に、摩擦力μＰ、μ’Ｐが作用する。
ぬいぐるみ玩具９９には、荷重（Ｗ−Ｔ）が作用する。かかる荷重を摩擦力μＰにより支える。このことを数式化して下式を得る。
μＰ＝Ｗ−Ｔ……（ａ）式
変形すれば、
Ｗ＝μＰ＋Ｔ……（Ａ）式
一方、装着具Ｆには、荷重（Ｗ’＋Ｔ）が作用する。かかる荷重を摩擦力μ’Ｐにより支える。このことを数式化して下式を得る。
μ’Ｐ＝Ｗ’＋Ｔ……（ｂ）式
変形すれば、
Ｔ＝μ’Ｐ−Ｗ’……（Ｂ）式
発明者は、第１マグネットＭ１と第２マグネットＭ２の間に、圧縮縮力Ｐが作用する以外にも、磁石求心力Ｔが発生することを発見し、
（Ａ）式から、ぬいぐるみ玩具９９の動荷重Ｗを、摩擦力μＰと磁石求心力Ｔにより支えることを発見した。
しかしながら、（Ｂ）式において、装着具Ｆの動荷重Ｗ’は、ぬいぐるみ玩具９９の動荷重Ｗに比較して非常に小さいので、Ｔ≒μ’Ｐと近似できる。  すなわち、摩擦力μ’Ｐは磁石求心力Ｔを支えるようにする必要が有る。
ここにおいて、摩擦力μ’Ｐを大きくするためには、圧縮力Ｐを大きくする他、摩擦係数μ’を大きくする必要が有るが、例えばシリコンシート面と被装着体Ｃの間卒係数μ’を大きくする必要が有るが、ぬいぐるみ玩具９９の布地面と被装着体Ｃの間卒係数μを大きくするよも簡単である。
したがって、磁石求心力Ｔは、圧縮力Ｐに負けず劣らず大きな力なので（摩擦力μＰＰに負けず劣らず大きな力なので）、ぬいぐるみ玩具９９の自重＋動荷重Ｗを、摩擦力μＰと磁石求心力Ｔにより支えることを想到したことは、滋養に落下し難いぬいぐるみ玩具９９と装着具Ｆとの組合せの発明を完成させたことになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の自重と動荷重を支えることを特徴とするぬいぐるみ玩具９９と装着具Ｆとの組合せである。
ここに、磁極軸とは、Ｓ極とＮ極の軸線をいう。磁極軸の向きは、Ｓ極からＮ極へ向かう方向を指すものとする。外側とは、ぬいぐるみ玩具９９の内側から外側に向かう方向をいう。内側とは、ぬいぐるみ玩具９９の内側から外側に向かう方向をいう。
Ｐ：磁着圧縮力（Ｋｇ重）、μ：ぬいぐるみ玩具９９と被装着体Ｃの摩擦係数（無次元数）、Ｔ：磁石求心力（ｋｇ重）
○第２の発明（請求項２に記載の発明）
上記の課題を解決するための第２の発明（請求項２に記載の発明）は、
座った姿態のぬいぐるみ玩具９９の臀部の表層内側部に第１のマグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、ぬいぐるみ玩具９９が被装着体Ｃからのずれを防止することを特徴とする請求項１に記載されたぬいぐるみ玩具９９と装着具Ｆとの組合せである。
○第３の発明（請求項３に記載の発明）
上記の課題を解決するための第３の発明（請求項３に記載の発明）は、
第１のマグネットＭ１及び第２のマグネットＭ２が、丸磁石又は角磁石であり、装着具Ｆにも第２のマグネットＭ２が上下対称に具備されることを特徴とする請求項１〜２の何れかに記載されたぬいぐるみ玩具９９と装着具Ｆとの組合せである。
○第４の発明（請求項４に記載の発明）
上記の課題を解決するための第４の発明（請求項４に記載の発明）は、
被装着体Ｃがバッグ又は被服であることを特徴とする請求項１〜３の何れかに記載されたぬいぐるみ玩具９９と装着具Ｆとの組合せである。
○第５の発明（請求項５に記載の発明）
上記の課題を解決するための第５の発明（請求項５に記載の発明）は、
装着具Ｆが、シリコンシートに第２のマグネットＭ２を内蔵させたものであることを特徴とする請求項１〜４の何れかに記載されたぬいぐるみ玩具９９と装着具Ｆとの組合せである。
○第６の発明（請求項６に記載の発明）
上記の課題を解決するための第６の発明（請求項６に記載の発明）は、
第１マグネットＭ１が２個内蔵され、装着具ＦにもマグネットＭ２が２個具備されたことを特徴とする請求項１〜５の何れかに記載されたぬいぐるみ玩具９９と装着具Ｆとの組合せである。
【発明の効果】
【０００７】
本発明に係るぬいぐるみ玩具９９と装着具Ｆとの組合せは、上記のような特徴的構成要件から構成され、特徴的構成要件に応じた、以下のような本願発明特有の効果を奏する。
また、上記の各発明に応じた、上記のような特徴的構成要件から構成されたぬいぐるみ玩具９９と装着具Ｆとの組合せによれば、本願発明の課題を十分解消することができた。
○第１の発明の効果
第１の発明によれば、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の自重と動荷重を支えることを特徴とするぬいぐるみ玩具９９と装着具Ｆとの組合せ。
ここに、磁極軸とは、Ｓ極とＮ極の軸線をいう。磁極軸の向きは、Ｓ極からＮ極へ向かう方向をさすものとする。外側とは、ぬいぐるみ玩具９９の内側から外側に向かう方向をいう。内側とは、ぬいぐるみ玩具９９の内側から外側に向かう方向をいう。
Ｐ：磁着圧縮力（Ｋｇ重）、μ：ぬいぐるみ玩具９９と被装着体Ｃの摩擦係数（無次元数）、Ｔ：磁石求心力（ｋｇ重）
という特徴的な構成要件により、本発明が解決しようとする第１課題〜第５課題を達成することができ、当業者予測不可能な顕著な効果を奏することができた。  
○第２の発明の効果
第２の発明によれば、
座った姿態のぬいぐるみ玩具９９の臀部の表層内側部に第１のマグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、ぬいぐるみ玩具９９が被装着体Ｃからのずれを防止することという特徴的な構成要件により、本発明が解決しようとする第１課題〜第５課題を達成することができ、当業者予測不可能な顕著な効果を奏することができた。
○第３の発明の効果
第３の発明によれば、
第１のマグネットＭ１及び第２のマグネットＭ２が、丸磁石又は角磁石であり、装着具Ｆにも第２のマグネットＭ２が上下対称に具備されることという特徴的な構成要件により、本発明が解決しようとする第１課題〜第５課題を達成することができ、当業者予測不可能な顕著な効果を奏することができた。
○第４の発明の効果
第４の発明によれば、
被装着体Ｃがバッグ又は被服であることという特徴的な構成要件により、本発明が解決しようとする第１課題〜第５課題を達成することができ、当業者予測不可能な顕著な効果を奏することができた。
○第５の発明の効果
第５の発明によれば、
装着具Ｆが、シリコンシートに第２のマグネットＭ２を内蔵させたものであることという特徴的な構成要件により、本発明が解決しようとする第１課題〜第５課題を達成することができ、当業者予測不可能な顕著な効果を奏することができた。
○第６の発明の効果
第６の発明によれば、
第１マグネットＭ１が２個内蔵され、装着具ＦにもマグネットＭ２が２個具備されたことという特徴的な構成要件により、本発明が解決しようとする第１課題〜第５課題を達成することができ、当業者予測不可能な顕著な効果を奏することができた。
【発明を実施するための最良の形態】
【０００８】
以下、本発明に係る、ぬいぐるみ玩具９９と装着具Ｆとの組合せに関する最良の実施形態について、図面を参照しながら説明する。
［図１］図１（Ａ）図と図１（Ｃ）図は、ぬいぐるみ玩具９９の後頭部の表層内側部に内蔵された第１マグネットＭ１と、装着具Ｆに具備された第２のマグネットＭ２を表す図である。図１（Ｂ）図と図１（Ｄ）図は、被装着体Ｃにぬいぐるみ玩具９９を装着する際の使用状態を示す図である。装着具Ｆに具備された第２のマグネットＭ２表す図である。
［図２］図２（Ａ）図と図２（Ｃ）図は、座った姿態のぬいぐるみ玩具９９の臀部の表層内側部に内蔵された第１のマグネットＭ１と装着具Ｆに具備された第２のマグネットＭ２を表す図である。図２（Ａ）図の装着具Ｆに具備された第２のマグネットＭ２が１個であるのに対して、図２（Ｃ）図の装着具Ｆに具備された第２のマグネットＭ２が２個である。図２（Ｃ）図は、ぬいぐるみ玩具９９の背面図を表す。図２（Ｄ）図は、ぬいぐるみ玩具９９の左側面図を表す。ぬいぐるみ玩具９９の右側面図は、ぬいぐるみ玩具９９の左側面図と対象に表れるので省略する。
［図３］図３（Ａ）図と図３（Ｂ）図は、第１のマグネットＭ１を袋に入れる状態を表している。図３（Ｃ）図は、袋とじされ、袋に内蔵された第１のマグネットＭ１を、ぬいぐるみ玩具９９の後頭部の開口部から当該後頭部の表層内側部に内蔵する状態図を表している。図３（Ｄ）図は、袋とじされ、袋に内蔵された第１のマグネットＭ１を、ぬいぐるみ玩具９９の後頭部の開口部から当該後頭部の表層内側部に内蔵させた後、当該後頭部の開口部を閉じた状態図を表している。
［図４］図４（Ａ）図とは、第２のマグネットＭ２が１個具備された装着具Ｆの平面図を表す。図４（Ｂ）図とは、第２のマグネットＭ２が１個具備された装着具Ｆ  の背面図を表す。図４（Ｃ）図とは、第２のマグネットＭ２が１個具備された装着具Ｆの正面図を表す。
［図５］図５（Ａ）図とは、第２のマグネットＭ２が２個具備された装着具Ｆの平面図を表す。図５（Ｂ）図とは、第２のマグネットＭ２が２個具備された装着具Ｆ  の背面図を表す。図５（Ｃ）図とは、第２のマグネットＭ２が２個具備された装着具Ｆの正面図を表す。
［図６］図６は、ぬいぐるみ玩具９９の正面図を表す。
［図７］図７左図は、被装着体（衣服の型部）の下に第２のマグネットＭ２が具備された装着具Ｆを装着して、第１マグネットＭ１を内蔵したぬいぐるみ玩具９９を載せて移動する使用態様を表す図である。図７中央図は、被装着体（衣服の腹部）の下に第２のマグネットＭ２が具備された装着具Ｆを装着して、第１マグネットＭ１を内蔵したぬいぐるみ玩具９９をぶら下げて移動する使用態様を表す図である。図７右図は、被装着体（バッグ全面）の中に第２のマグネットＭ２が具備された装着具Ｆを装着して、第１マグネットＭ１を内蔵したぬいぐるみ玩具９９をぶら下げて移動する使用態様を表す図である。
［図８］図８は、ぬいぐるみ玩具９９の後頭部の表層内側部に内蔵された第１マグネットＭ１と装着具Ｆに具備された第２のマグネットＭ２と被装着体Ｃがぬいぐるみ玩具９９の自重と動荷重を支える機構を示す図である。
［図９］図９は、座った姿態のぬいぐるみ玩具９９の臀部の表層内側部に内蔵された第１マグネットＭ１と装着具Ｆに具備された第２のマグネットＭ２と被装着体Ｃがぬいぐるみ玩具９９の動荷重を支えてぬいぐるみ玩具９９が被装着体Ｃからのずれを防止する機構を示す図である。
［図１０］図１０は、被装着体Ｃにぬいぐるみ玩具９９を装着する際は、第１のマグネットＭ１と第２のマグネットＭ２間のズレΔ（ｃｍ）がある値より小さいと、第１のマグネットＭ１と第２のマグネットＭ２が双方の磁極軸を自動的に一致させて磁着することを示す図である。
以下、本発明に係る、ぬいぐるみ玩具９９と装着具Ｆとの組合せについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の自重と動荷重を支えることを特徴とするぬいぐるみ玩具９９と装着具Ｆとの組合せが開示されている。
ここに、磁極軸とは、Ｓ極とＮ極の軸線をいう。磁極軸の向きは、Ｓ極からＮ極へ向かう方向をさすものとする。外側とは、ぬいぐるみ玩具９９の内側から外側に向かう方向をいう。内側とは、ぬいぐるみ玩具９９の内側から外側に向かう方向をいう。
Ｐ：磁着圧縮力（Ｋｇ重）、μ：ぬいぐるみ玩具９９と被装着体Ｃの摩擦係数（無次元数）、Ｔ：磁石求心力（ｋｇ重）  
○第１の発明の効果
第１の発明によれば、
ぬいぐるみ玩具９９と装着具Ｆとの組合せにおいて、
ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の自重と動荷重を支えることを特徴とするぬいぐるみ玩具９９と装着具Ｆとの組合せ。
ここに、磁極軸とは、Ｓ極とＮ極の軸線をいう。磁極軸の向きは、Ｓ極からＮ極へ向かう方向をさすものとする。外側とは、ぬいぐるみ玩具９９の内側から外側に向かう方向をいう。内側とは、ぬいぐるみ玩具９９の内側から外側に向かう方向をいう。
Ｐ：磁着圧縮力（Ｋｇ重）、μ：ぬいぐるみ玩具９９と被装着体Ｃの摩擦係数（無次元数）、Ｔ：磁石求心力（ｋｇ重）
という特徴的な構成要件により、本発明が解決しようとする第１課題〜第５課題を達成することができ、当業者予測不可能な顕著な効果を奏することができた。  
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
座った姿態のぬいぐるみ玩具９９の臀部の表層内側部に第１のマグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、ぬいぐるみ玩具９９が被装着体Ｃからのずれを防止することを特徴とする請求項１に記載されたぬいぐるみ玩具９９と装着具Ｆとの組合せが開示されている。
○第２の発明の効果
第２の発明によれば、
座った姿態のぬいぐるみ玩具９９の臀部の表層内側部に第１のマグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、ぬいぐるみ玩具９９が被装着体Ｃからのずれを防止することという特徴的な構成要件により、本発明が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
第１のマグネットＭ１及び第２のマグネットＭ２が、丸磁石又は角磁石であり、装着具Ｆにも第２のマグネットＭ２が上下対称に具備されることを特徴とする請求項１〜２の何れかに記載されたぬいぐるみ玩具９９と装着具Ｆとの組合せが開示されている。
○第３の発明の効果
第３の発明によれば、
第１のマグネットＭ１及び第２のマグネットＭ２が、丸磁石又は角磁石であり、装着具Ｆにも第２のマグネットＭ２が上下対称に具備されることという特徴的な構成要件により、本発明が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
被装着体Ｃがバッグ又は被服であることを特徴とする請求項１〜３の何れかに記載されたぬいぐるみ玩具９９と装着具Ｆとの組合せが開示されている。
○第４の発明の効果
第４の発明によれば、
被装着体Ｃがバッグ又は被服であることという特徴的な構成要件により、本発明が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
装着具Ｆが、シリコンシートに第２のマグネットＭ２を内蔵させたものであることを特徴とする請求項１〜４の何れかに記載されたぬいぐるみ玩具９９と装着具Ｆとの組合せが開示されている。
○第５の発明の効果
第５の発明によれば、
装着具Ｆが、シリコンシートに第２のマグネットＭ２を内蔵させたものであることという特徴的な構成要件により、本発明が解決しようとする第１課題〜第５課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
第１マグネットＭ１が２個内蔵され、装着具ＦにもマグネットＭ２が２個具備されたことを特徴とする請求項１〜５の何れかに記載されたぬいぐるみ玩具９９と装着具Ｆとの組合せが開示されている。
○第６の発明の効果
第６の発明によれば、
第１マグネットＭ１が２個内蔵され、装着具ＦにもマグネットＭ２が２個具備されたことという特徴的な構成要件により、本発明が解決しようとする第１課題〜第５課題を達成することができ、当業者予測不可能な顕著な効果を奏することができた。
【図面の簡単な説明】
【０００９】
【図１】図１（Ａ）図と図１（Ｃ）図は、ぬいぐるみ玩具９９の後頭部の表層内側部に内蔵された第１マグネットＭ１と、装着具Ｆに具備された第２のマグネットＭ２を表す図である。図１（Ｂ）図と図１（Ｄ）図は、被装着体Ｃにぬいぐるみ玩具９９を装着する際の使用状態を示す図である。装着具Ｆに具備された第２のマグネットＭ２表す図である。
【図２】図２（Ａ）図と図２（Ｃ）図は、座った姿態のぬいぐるみ玩具９９の臀部の表層内側部に内蔵された第１のマグネットＭ１と装着具Ｆに具備された第２のマグネットＭ２を表す図である。図２（Ａ）図の装着具Ｆに具備された第２のマグネットＭ２が１個であるのに対して、図２（Ｃ）図の装着具Ｆに具備された第２のマグネットＭ２が２個である。図２（Ｃ）図は、ぬいぐるみ玩具９９の背面図を表す。図２（Ｄ）図は、ぬいぐるみ玩具９９の左側面図を表す。ぬいぐるみ玩具９９の右側面図は、ぬいぐるみ玩具９９の左側面図と対象に表れるので省略する。
【図３】図３（Ａ）図と図３（Ｂ）図は、第１のマグネットＭ１を袋に入れる状態を表している。図３（Ｃ）図は、袋とじされ、袋に内蔵された第１のマグネットＭ１を、ぬいぐるみ玩具９９の後頭部の開口部から当該後頭部の表層内側部に内蔵する状態図を表している。図３（Ｄ）図は、袋とじされ、袋に内蔵された第１のマグネットＭ１を、ぬいぐるみ玩具９９の後頭部の開口部から当該後頭部の表層内側部に内蔵させた後、当該後頭部の開口部を閉じた状態図を表している。
【図４】図４（Ａ）図とは、第２のマグネットＭ２が１個具備された装着具Ｆの平面図を表す。図４（Ｂ）図とは、第２のマグネットＭ２が１個具備された装着具Ｆ  の背面図を表す。図４（Ｃ）図とは、第２のマグネットＭ２が１個具備された装着具Ｆの正面図を表す。
【図５】図５（Ａ）図とは、第２のマグネットＭ２が２個具備された装着具Ｆの平面図を表す。図５（Ｂ）図とは、第２のマグネットＭ２が２個具備された装着具Ｆの背面図を表す。図５（Ｃ）図とは、第２のマグネットＭ２が２個具備された装着具Ｆの正面図を表す。
【図６】図６は、ぬいぐるみ玩具９９の正面図を表す。
【図７】図７左図は、被装着体（衣服の型部）の下に第２のマグネットＭ２が具備された装着具Ｆを装着して、第１マグネットＭ１を内蔵したぬいぐるみ玩具９９を載せて移動する使用態様を表す図である。図７中央図は、被装着体（衣服の腹部）の下に第２のマグネットＭ２が具備された装着具Ｆを装着して、第１マグネットＭ１を内蔵したぬいぐるみ玩具９９をぶら下げて移動する使用態様を表す図である。図７右図は、被装着体（バッグ全面）の中に第２のマグネットＭ２が具備された装着具Ｆを装着して、第１マグネットＭ１を内蔵したぬいぐるみ玩具９９をぶら下げて移動する使用態様を表す図である。
【図８】図８は、ぬいぐるみ玩具９９の後頭部の表層内側部に内蔵された第１マグネットＭ１と装着具Ｆに具備された第２のマグネットＭ２と被装着体Ｃがぬいぐるみ玩具９９の自重と動荷重を支える機構を示す図である。
【図９】図９は、座った姿態のぬいぐるみ玩具９９の臀部の表層内側部に内蔵された第１マグネットＭ１と装着具Ｆに具備された第２のマグネットＭ２と被装着体Ｃがぬいぐるみ玩具９９の動荷重を支えてぬいぐるみ玩具９９が被装着体Ｃからのずれを防止する機構を示す図である。
【図１０】図１０は、被装着体Ｃにぬいぐるみ玩具９９を装着する際は、第１のマグネットＭ１と第２のマグネットＭ２間のズレΔ（ｃｍ）がある値より小さいと、第１のマグネットＭ１と第２のマグネットＭ２が双方の磁極軸を自動的に一致させて磁着することを示す図である。
【符号の説明】
【００１０】
Ｍ……マグネット
Ｍ１……第１のマグネット
Ｍ２……第２のマグネット
９９……ぬいぐるみ玩具
Ｆ……装着具
９……表層（布地）
Ｌ１……第１のマグネットＭ１の軸線
Ｌ２……第２のマグネットＭ２の軸線
Ｐ……磁着圧縮力
μ……摩擦係数
Ｔ……磁石求心力
Δ……第１のマグネットＭ１の軸線と第２のマグネットＭ２の軸線のズレ
【図１】
2018061800.tif 000003
【図２】
2018061800.tif 000004
【図３】
2018061800.tif 000005
【図４】
2018061800.tif 000006
【図５】
2018061800.tif 000007
【図６】
2018061800.tif 000008
【図７】
2018061800.tif 000009
【図８】
2018061800.tif 000010
【図９】
2018061800.tif 000011
【図１０】
2018061800.tif 000012
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せ。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：  マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
【請求項２】
第１のマグネットＭ１及び第２のマグネットＭ２が、丸磁石又は角磁石であり、装着具Ｆにも第２のマグネットＭ２が、図４（Ｃ）図又は図５（Ｃ）図の紙面視、上下対称に具備されることを特徴とする請求項１に記載されたぬいぐるみ玩具９９と装着具Ｆとの組合せ。
【請求項３】
被装着体Ｃがバッグ又は被服であることを特徴とする請求項１〜２の何れかに記載されたぬいぐるみ玩具９９と装着具Ｆとの組合せ。
【請求項４】
装着具Ｆが、シリコンシートに第２のマグネットＭ２を内蔵させたものであることを特徴とする請求項１〜３の何れかに記載されたぬいぐるみ玩具９９と装着具Ｆとの組合せ。
【請求項５】
第１マグネットＭ１が２個内蔵され、装着具ＦにもマグネットＭ２が２個具備されたことを特徴とする請求項１〜４の何れかに記載されたぬいぐるみ玩具９９と装着具Ｆとの組合せ。
【手続補正２】
【補正対象書類名】明細書
【補正対象項目名】全文
【補正方法】変更
【補正の内容】
【発明の詳細な説明】
【技術分野】
【０００１】
本発明は、ぬいぐるみ玩具と装着具との組合せに関する。
【背景技術】
【０００２】
従来、ぬいぐるみ玩具を人が移動させる場合、手に持って歩きながら移動させていた。
しかしながら、人が、ぬいぐるみ玩具を手に持つために手が塞がってしまい、他の作業をするには不便であった。
【発明の開示】
【０００３】
かかる従来技術の欠点に鑑みて、ぬいぐるみ玩具をバッグにワンタッチで装着可能で、被服にワンタッチで装着可能なぬいぐるみ玩具と装着具の組合せの出現が望まれていた。
【先行技術文献】
【特許文献】
【０００４】
本願発明に係るぬいぐるみ玩具と装着具との組合せについて、ＦＩ、キーワード検索を行ったところ、本件発明（ぬいぐるみ玩具と装着具との組合せ）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
人が着る衣服あるいは身の回り品又はバッグに２次元的模様を付すのではなく、立体的なぬいぐるみ玩具を人が着る衣服あるいは身の回り品又はバッグに装着することによって、斬新なデザインを提供することが可能なぬいぐるみ玩具と装着具との組合せを提供することである。
○本発明が解決しようとする第２課題
本発明が解決しようとする第２課題は、
人が着る衣服あるいは身の回り品又はバッグの種類を選ばず自在に装着することが可能なぬいぐるみ玩具と装着具との組合せを提供することである。
○本発明が解決しようとする第３課題
本発明が解決しようとする第３課題は、
人が着る衣服あるいは身の回り品又はバッグの種類を選ばず自在に装着することが可能なぬいぐるみ玩具と装着具との組合せにあっては、人が歩く際の衝撃等によって、ぬいぐるみ玩具の自重の他に動荷重を受けるが、摩擦力に依存するだけではなく、磁石の力によってもぬいぐるみ玩具の（自重＋動荷重）を牽引して支えるぬいぐるみ玩具と装着具との組合せを提供することである。
○本発明が解決しようとする第４課題
本発明が解決しようとする第４課題は、
人が着る衣服あるいは身の回り品又はバッグの種類を選ばず自在に装着することが可能なぬいぐるみ玩具と装着具との組合せにあっては、被装着体にぬいぐるみ玩具を装着する際は、被装着体を挟んで、２つのマグネットが最大の磁力作用を発揮できるような状態に自動的に磁着することができるぬいぐるみ玩具と装着具との組合せを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○マグネットＭとは、平板状の磁石であって一方の面がＳ極で一方の面がＮ極の磁石をいう。
マグネットＭは、例えば、円形断面の円柱であり、例えば、長方形断面の四角柱（直方体）である。
本発明において、マグネットＭとは、第１のマグネットＭ１、第２のマグネットＭ２である。
第１のマグネットＭ１、第２のマグネットＭ２の断面形状が等しいことが望ましい。第１のマグネットＭ１と第２のマグネットＭ２の対峙する面が重なる面積が大きい程、第１のマグネットＭ１と第２のマグネットＭ２に働く圧縮力Ｐ（すなわち摩擦力μＰ、μ’Ｐ）及び磁石求心力Ｔを最大にするからである。
○第１のマグネットＭ１とは、ぬいぐるみ玩具９９の後頭部の表層内側部に内蔵された磁石、又は、座った姿態のぬいぐるみ玩具９９の臀部の表層内側部に内蔵された磁石をいう。
○第２のマグネットＭ２とは、装着具Ｆに具備された磁石をいう。
○ぬいぐるみ玩具９９とは、芯にする物を布等で包んで縫い合わせて、人や動物等の形に作った玩具をいう。人や動物の形の他、花、植物、怪獣、キャラクタ等の形も含む。
○装着具Ｆとは、第２のマグネットＭ２を具備してなり、ぬいぐるみ玩具９９と被装着体Ｃを挟んで、ぬいぐるみ玩具９９の「自重と動荷重」を支える、あるいは、ぬいぐるみ玩具９９と被装着体Ｃがずれるのを防止するものである。
例えば、装着具Ｆが、シリコンシートに第２のマグネットＭ２を内蔵させたものが例示される。
○表層とは、ぬいぐるみ玩具９９の布地の部分をいう。
○表層内側部とは、ぬいぐるみ玩具９９の表層（布地）の極内側近傍をいう。ぬいぐるみ玩具９９に内蔵されるマグネットＭ１と装着具Ｆに内蔵されたマグネットＭ２の磁力は、マグネットＭ１とマグネットＭ２の距離は近ければ近い程望ましいからである。
○第１のマグネットＭ１が内蔵されとは、例えば、第１のマグネットＭ１は袋体で包装されてなり、袋体はぬいぐるみ玩具９９と結合されてり、第１のマグネットＭはぬいぐるみ玩具９９に固着されてなる。
○装着具Ｆにも第２のマグネットＭ２が具備されてなりとは、例えば、装着具Ｆがシリコンシートであり、第２のマグネットＭ２は装着具Ｆに一体として固着されている。
○磁極軸とは、マグネットＭにおいて、Ｓ極とＮ極を結ぶ軸線をいう。
○磁極軸の向きとは、磁極軸においてＳ極からＮ極へ向かう方向をいう。正負の区別をする。すなわち、Ｓ極からＮ極へ向かう方向が正の向きであり、Ｓ極からＮ極へ向かう方向を負の向き（逆向き）である。
ぬいぐるみ玩具９９と装着具Ｆを被装着体Ｃに装着する場合、を第１のマグネットＭ１の磁極軸の向きと第２のマグネットＭ２の磁極軸の向きは一致させるようにすることが必須である（図８、図９）。
厳格に一致させなくとも、第１のマグネットＭ１と第２のマグネットＭ２の間には、磁石求心力Ｔの復元力が働き、第１のマグネットＭ１の磁極軸と第２のマグネットＭ２の磁極軸は自動的に一致させるように働き、両磁極軸が自動的に一致すれば、第１のマグネットＭ１と第２のマグネットＭ２の対峙する面が自動的に一致するように働き、第１のマグネットＭ１と第２のマグネットＭ２に働く圧縮力Ｐ（すなわち摩擦力μＰ、μ’Ｐ）及び磁石求心力Ｔを自動的に最大にするように働くという当業者が予測できない顕著な効果を発揮する（図８、図９、図１０）。
○ぬいぐるみ玩具９９を被装着体Ｃに装着する場合、第１のマグネットＭ１と第２のマグネットＭ２の磁極軸の向きが、略同じ方向になるような状態に設定される。
そして、第１のマグネットＭ１と第２のマグネットＭ２は引き合って磁着圧縮力Ｐを生じさせると共に、マグネットＭ１と被装着体Ｃの間には、摩擦力μＰが生じ、同時に、マグネットＭ２と被装着体Ｃの間には、摩擦力μ’Ｐが生じる。
さらに、見逃し易い力ながら、第１のマグネットＭ１と第２のマグネットＭ２間に働く磁石求心力Ｔが生じる。
２つの力、摩擦力μＰ、磁石求心力Ｔによって、被装着体Ｃがぬいぐるみ玩具９９の「自重と動荷重」Ｗを支えるので、
μＰ＋Ｔ＝Ｗが成立する。
ここに、摩擦力μ’Ｐは、第１のマグネットＭ１と第２のマグネットＭ２間に働く磁石求心力Ｔと被装着体Ｃの自重＋動荷重Ｗ’によって生じ、
μ’Ｐ＝Ｔ＋Ｗ’が成立する。
○磁着圧縮力Ｐとは、被装着体Ｃを挟んで、第１のマグネットＭ１と第２のマグネットＭ２が磁着することによって、第１のマグネットＭ１と第２のマグネットＭ２の間に生じる圧縮力をいう。
○摩擦係数μとは、ぬいぐるみ玩具９９と被装着体Ｃの摩擦係数（無次元数）をいう。
○摩擦係数μ’とは、装着具Ｆと被装着体Ｃの摩擦係数（無次元数）をいう。
○磁石求心力Ｔとは、マグネットＭ１の軸線と、マグネットＭ２の軸線がΔだけずれた場合、マグネットＭ１の軸線と、マグネットＭ２の軸線を一致させるように働く復元力である（図１０）。
マグネットＭ１の軸線と、マグネットＭ２の軸線がΔだけずれた場合、磁石求心力Ｔは、下式で与えられる（図１０）。
Ｔ＝Ｋ＊Δ……（１）式
ここに、Δ：第１のマグネットＭ１の軸線と第２のマグネットＭ２の軸線のズレ（ｃｍ）、Ｋ：定数（Ｋｇ重／ｃｍ）
○外側とは、ぬいぐるみ玩具９９の内側から外側に向かう方向をいう。
○内側とは、ぬいぐるみ玩具９９の外側から内側に向かう方向をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜記号の説明＞
Ｐ：磁着圧縮力（Ｋｇ重）
μ：ぬいぐるみ玩具９９と被装着体Ｃの摩擦係数（無次元数）
μ’：装着具Ｆと被装着体Ｃの摩擦係数（無次元数）
Ｔ：磁石求心力（ｋｇ重）…図８においては、ぬいぐるみ玩具９９には半重力方向に作用する。  
Ｔ＝Ｋ＊Δ……（１）式
磁石求心力Ｔ（ｋｇ重）とは、２つのマグネットＭ１、Ｍ２がΔだけずれた場合、下式で与えられる力をいう。
Ｔ＝Ｋ＊Δ……（１）式
ここに、Δ：第１のマグネットＭ１の軸線と第２のマグネットＭ２の軸線のズレ（ｃｍ）、Ｋ：定数（Ｋｇ重／ｃｍ）
μＰ：ぬいぐるみ玩具９９と被装着体Ｃの間に作用する垂直方向の摩擦力（ｋｇ重）
μ’Ｐ：装着具Ｆと被装着体Ｃの間に作用する垂直方向の摩擦力（ｋｇ重）
Ｗ：ぬいぐるみ玩具９９の重力方向に作用する「自重＋動荷重」（ｋｇ重）
ここに、ぬいぐるみ玩具９９の中には第１マグネットＭ１が内蔵されており、Ｗには第１マグネットＭ１の自重＋動荷重が含まれる。
Ｗ’：装着具Ｆの自重＋動荷重（ｋｇ重）
ここに、ぬいぐるみ玩具９９の中には第２マグネットＭ２が具備されており、Ｗ’には第２マグネットＭ２の自重＋動荷重が含まれる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜ぬいぐるみ玩具９９と装着具Ｆと被装着体Ｃとの間に作用する力の釣り合い式＞…図８において
図８において、被装着体Ｃの両面に垂直方向に圧縮力Ｐが作用し、被装着体Ｃの両面には、反重力方向に、摩擦力μＰ、μ’Ｐが作用する。
ぬいぐるみ玩具９９には、荷重（Ｗ−Ｔ）が重力方向に作用する。かかる荷重を摩擦力μＰにより支える。このことを数式化して下式を得る。
μＰ＝Ｗ−Ｔ……（ａ）式
変形すれば、
Ｗ＝μＰ＋Ｔ……（Ａ）式
一方、装着具Ｆには、荷重（Ｗ’＋Ｔ）が作用する。かかる荷重を摩擦力μ’Ｐにより支える。このことを数式化して下式を得る。
μ’Ｐ＝Ｗ’＋Ｔ……（ｂ）式
変形すれば、
Ｔ＝μ’Ｐ−Ｗ’……（Ｂ）式
発明者は、第１マグネットＭ１と第２マグネットＭ２の間に、圧縮縮力Ｐが作用する以外にも、磁石求心力Ｔが発生することを発見し、
（Ａ）式から、ぬいぐるみ玩具９９の自重＋動荷重Ｗを、摩擦力μＰと磁石求心力Ｔにより支えることを発見した。
しかしながら、（Ｂ）式において、装着具Ｆの自重＋動荷重Ｗ’は、ぬいぐるみ玩具９９の自重＋動荷重Ｗに比較して非常に小さいので、
Ｔ≒μ’Ｐ……（Ｂ’）式
と近似できる。すなわち、摩擦力μ’Ｐは磁石求心力Ｔを支えるようにする必要が有る。
ここにおいて、摩擦力μ’Ｐを大きくするためには、圧縮力Ｐを大きくする他、摩擦係数μ’を大きくする必要が有るが、例えばシリコンシート面と被装着体Ｃの摩擦係数μ’を大きくする必要が有るが、ぬいぐるみ玩具９９の布地面と被装着体Ｃの摩擦係数μを大きくするよりも簡単である。
したがって、磁石求心力Ｔは、圧縮力Ｐに負けず劣らず大きな力なので（摩擦力μＰＰに負けず劣らず大きな力なので）、ぬいぐるみ玩具９９の自重＋動荷重Ｗを、摩擦力μＰと磁石求心力Ｔにより支えることを想到したことは、非常に落下し難いぬいぐるみ玩具９９と装着具Ｆとの組合せの発明を完成させたことになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜ぬいぐるみ玩具９９と装着具Ｆと被装着体Ｃとの間に作用する力の釣り合い式＞…図９において
図９において、被装着体Ｃの両面に垂直方向に圧縮力Ｐが作用し、被装着体Ｃの両面には、水平方向に、摩擦力μＰ、μ’Ｐが作用する。
ぬいぐるみ玩具９９には、荷重（Ｗ−Ｔ）が作用する。かかる荷重を摩擦力μＰにより支える。このことを数式化して下式を得る。
μＰ＝Ｗ−Ｔ……（ａ）式
変形すれば、
Ｗ＝μＰ＋Ｔ……（Ａ）式
一方、装着具Ｆには、荷重（Ｗ’＋Ｔ）が作用する。かかる荷重を摩擦力μ’Ｐにより支える。このことを数式化して下式を得る。
μ’Ｐ＝Ｗ’＋Ｔ……（ｂ）式
変形すれば、
Ｔ＝μ’Ｐ−Ｗ’……（Ｂ）式
発明者は、第１マグネットＭ１と第２マグネットＭ２の間に、圧縮縮力Ｐが作用する以外にも、磁石求心力Ｔが発生することを発見し、
（Ａ）式から、ぬいぐるみ玩具９９の動荷重Ｗを、摩擦力μＰと磁石求心力Ｔにより支えることを発見した。
しかしながら、（Ｂ）式において、装着具Ｆの動荷重Ｗ’は、ぬいぐるみ玩具９９の動荷重Ｗに比較して非常に小さいので、Ｔ≒μ’Ｐと近似できる。  すなわち、摩擦力μ’Ｐは磁石求心力Ｔを支えるようにする必要が有る。
ここにおいて、摩擦力μ’Ｐを大きくするためには、圧縮力Ｐを大きくする他、摩擦係数μ’を大きくする必要が有るが、例えばシリコンシート面と被装着体Ｃの摩擦係数μ’を大きくする必要が有るが、ぬいぐるみ玩具９９の布地面と被装着体Ｃの摩擦係数μを大きくするよも簡単である。
したがって、磁石求心力Ｔは、圧縮力Ｐに負けず劣らず大きな力なので（摩擦力μＰに負けず劣らず大きな力なので）、ぬいぐるみ玩具９９の自重＋動荷重Ｗを、摩擦力μＰと磁石求心力Ｔにより支えることを想到したことは、滋養に落下し難いぬいぐるみ玩具９９と装着具Ｆとの組合せの発明を完成させたことになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せである。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：  マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
○第３の発明（請求項３に記載の発明）
上記の課題を解決するための第３の発明（請求項３に記載の発明）は、
被装着体Ｃがバッグ又は被服であることを特徴とする請求項１〜２の何れかに記載されたぬいぐるみ玩具９９と装着具Ｆとの組合せである。
○第４の発明（請求項４に記載の発明）
上記の課題を解決するための第４の発明（請求項４に記載の発明）は、
装着具Ｆが、シリコンシートに第２のマグネットＭ２を内蔵させたものであることを特徴とする請求項１〜３の何れかに記載されたぬいぐるみ玩具９９と装着具Ｆとの組合せである。
○第５の発明（請求項５に記載の発明）
上記の課題を解決するための第５の発明（請求項５に記載の発明）は、
第１マグネットＭ１が２個内蔵され、装着具ＦにもマグネットＭ２が２個具備されたことを特徴とする請求項１〜４の何れかに記載されたぬいぐるみ玩具９９と装着具Ｆとの組合せである。
【発明の効果】
【０００７】
本発明に係るぬいぐるみ玩具９９と装着具Ｆとの組合せは、上記のような特徴的構成要件から構成され、特徴的構成要件に応じた、以下のような本願発明特有の効果を奏する。
また、上記の各発明に応じた、上記のような特徴的構成要件から構成されたぬいぐるみ玩具９９と装着具Ｆとの組合せによれば、本願発明の課題を十分解消することができた。
○第１の発明の効果
第１の発明によれば、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せ。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：  マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
という特徴的な構成要件により、本発明が解決しようとする第１課題〜第５課題を達成することができ、当業者予測不可能な顕著な効果を奏することができた。  
○第２の発明の効果
第２の発明によれば、
座った姿態のぬいぐるみ玩具９９の臀部の表層内側部に第１のマグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、ぬいぐるみ玩具９９が被装着体Ｃからのずれを防止することという特徴的な構成要件により、本発明が解決しようとする第１課題〜第５課題を達成することができ、当業者予測不可能な顕著な効果を奏することができた。
○第２の発明の効果
第２の発明によれば、
第１のマグネットＭ１及び第２のマグネットＭ２が、丸磁石又は角磁石であり、装着具Ｆにも第２のマグネットＭ２が、図４（Ｃ）図又は図５（Ｃ）図の紙面視、上下対称に具備されることという特徴的な構成要件により、本発明が解決しようとする第１課題〜第５課題を達成することができ、当業者予測不可能な顕著な効果を奏することができた。
○第３の発明の効果
第３の発明によれば、
被装着体Ｃがバッグ又は被服であることという特徴的な構成要件により、本発明が解決しようとする第１課題〜第５課題を達成することができ、当業者予測不可能な顕著な効果を奏することができた。
○第４の発明の効果
第４の発明によれば、
装着具Ｆが、シリコンシートに第２のマグネットＭ２を内蔵させたものであることという特徴的な構成要件により、本発明が解決しようとする第１課題〜第５課題を達成することができ、当業者予測不可能な顕著な効果を奏することができた。
○第５の発明の効果
第５の発明によれば、
第１マグネットＭ１が２個内蔵され、装着具ＦにもマグネットＭ２が２個具備されたことという特徴的な構成要件により、本発明が解決しようとする第１課題〜第５課題を達成することができ、当業者予測不可能な顕著な効果を奏することができた。
【発明を実施するための最良の形態】
【０００８】
以下、本発明に係る、ぬいぐるみ玩具９９と装着具Ｆとの組合せに関する最良の実施形態について、図面を参照しながら説明する。
［図１］図１（Ａ）図と図１（Ｃ）図は、ぬいぐるみ玩具９９の後頭部の表層内側部に内蔵された第１マグネットＭ１と、装着具Ｆに具備された第２のマグネットＭ２を表す図である。図１（Ｂ）図と図１（Ｄ）図は、被装着体Ｃにぬいぐるみ玩具９９を装着する際の使用状態を示す図である。装着具Ｆに具備された第２のマグネットＭ２表す図である。
［図２］図２（Ａ）図と図２（Ｃ）図は、座った姿態のぬいぐるみ玩具９９の臀部の表層内側部に内蔵された第１のマグネットＭ１と装着具Ｆに具備された第２のマグネットＭ２を表す図である。図２（Ａ）図の装着具Ｆに具備された第２のマグネットＭ２が１個であるのに対して、図２（Ｃ）図の装着具Ｆに具備された第２のマグネットＭ２が２個である。図２（Ｃ）図は、ぬいぐるみ玩具９９の背面図を表す。図２（Ｄ）図は、ぬいぐるみ玩具９９の左側面図を表す。ぬいぐるみ玩具９９の右側面図は、ぬいぐるみ玩具９９の左側面図と対象に表れるので省略する。
［図３］図３（Ａ）図と図３（Ｂ）図は、第１のマグネットＭ１を袋に入れる状態を表している。図３（Ｃ）図は、袋とじされ、袋に内蔵された第１のマグネットＭ１を、ぬいぐるみ玩具９９の後頭部の開口部から当該後頭部の表層内側部に内蔵する状態図を表している。図３（Ｄ）図は、袋とじされ、袋に内蔵された第１のマグネットＭ１を、ぬいぐるみ玩具９９の後頭部の開口部から当該後頭部の表層内側部に内蔵させた後、当該後頭部の開口部を閉じた状態図を表している。
［図４］図４（Ａ）図とは、第２のマグネットＭ２が１個具備された装着具Ｆの平面図を表す。図４（Ｂ）図とは、第２のマグネットＭ２が１個具備された装着具Ｆ  の背面図を表す。図４（Ｃ）図とは、第２のマグネットＭ２が１個具備された装着具Ｆの正面図を表す。
［図５］図５（Ａ）図とは、第２のマグネットＭ２が２個具備された装着具Ｆの平面図を表す。図５（Ｂ）図とは、第２のマグネットＭ２が２個具備された装着具Ｆ  の背面図を表す。図５（Ｃ）図とは、第２のマグネットＭ２が２個具備された装着具Ｆの正面図を表す。
［図６］図６は、ぬいぐるみ玩具９９の正面図を表す。
［図７］図７左図は、被装着体（衣服の型部）の下に第２のマグネットＭ２が具備された装着具Ｆを装着して、第１マグネットＭ１を内蔵したぬいぐるみ玩具９９を載せて移動する使用態様を表す図である。図７中央図は、被装着体（衣服の腹部）の下に第２のマグネットＭ２が具備された装着具Ｆを装着して、第１マグネットＭ１を内蔵したぬいぐるみ玩具９９をぶら下げて移動する使用態様を表す図である。図７右図は、被装着体（バッグ全面）の中に第２のマグネットＭ２が具備された装着具Ｆを装着して、第１マグネットＭ１を内蔵したぬいぐるみ玩具９９をぶら下げて移動する使用態様を表す図である。
［図８］図８は、ぬいぐるみ玩具９９の後頭部の表層内側部に内蔵された第１マグネットＭ１と装着具Ｆに具備された第２のマグネットＭ２と被装着体Ｃがぬいぐるみ玩具９９の「自重と動荷重」を支える機構を示す図である。
［図９］図９は、座った姿態のぬいぐるみ玩具９９の臀部の表層内側部に内蔵された第１マグネットＭ１と装着具Ｆに具備された第２のマグネットＭ２と被装着体Ｃがぬいぐるみ玩具９９の動荷重を支えてぬいぐるみ玩具９９が被装着体Ｃからのずれを防止する機構を示す図である。
［図１０］図１０は、被装着体Ｃにぬいぐるみ玩具９９を装着する際は、第１のマグネットＭ１と第２のマグネットＭ２間のズレΔ（ｃｍ）がある値より小さいと、第１のマグネットＭ１と第２のマグネットＭ２が双方の磁極軸を自動的に一致させて磁着することを示す図である。
以下、本発明に係る、ぬいぐるみ玩具９９と装着具Ｆとの組合せについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せが開示されている。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：  マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
Ｐ：磁着圧縮力（Ｋｇ重）、μ：ぬいぐるみ玩具９９と被装着体Ｃの摩擦係数（無次元数）、Ｔ：磁石求心力（ｋｇ重）  
○第１の発明の効果
第１の発明によれば、
ぬいぐるみ玩具９９と装着具Ｆとの組合せにおいて、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せ。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：  マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
という特徴的な構成要件により、本発明が解決しようとする第１課題〜第５課題を達成することができ、当業者予測不可能な顕著な効果を奏することができた。  
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
第１のマグネットＭ１及び第２のマグネットＭ２が、丸磁石又は角磁石であり、装着具Ｆにも第２のマグネットＭ２が、図４（Ｃ）図又は図５（Ｃ）図の紙面視、上下対称に具備されることを特徴とする請求項１に記載されたぬいぐるみ玩具９９と装着具Ｆとの組合せが開示されている。
○第２の発明の効果
第２の発明によれば、
第１のマグネットＭ１及び第２のマグネットＭ２が、丸磁石又は角磁石であり、装着具Ｆにも第２のマグネットＭ２が、図４（Ｃ）図又は図５（Ｃ）図の紙面視、上下対称に具備されることという特徴的な構成要件により、本発明が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
被装着体Ｃがバッグ又は被服であることを特徴とする請求項１〜３の何れかに記載されたぬいぐるみ玩具９９と装着具Ｆとの組合せが開示されている。
○第３の発明の効果
第３の発明によれば、
被装着体Ｃがバッグ又は被服であることという特徴的な構成要件により、本発明が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
装着具Ｆが、シリコンシートに第２のマグネットＭ２を内蔵させたものであることを特徴とする請求項１〜４の何れかに記載されたぬいぐるみ玩具９９と装着具Ｆとの組合せが開示されている。
○第４の発明の効果
第４の発明によれば、
装着具Ｆが、シリコンシートに第２のマグネットＭ２を内蔵させたものであることという特徴的な構成要件により、本発明が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
第１マグネットＭ１が２個内蔵され、装着具ＦにもマグネットＭ２が２個具備されたことを特徴とする請求項１〜５の何れかに記載されたぬいぐるみ玩具９９と装着具Ｆとの組合せが開示されている。
○第５の発明の効果
第５の発明によれば、
第１マグネットＭ１が２個内蔵され、装着具ＦにもマグネットＭ２が２個具備されたことという特徴的な構成要件により、本発明が解決しようとする第１課題〜第５課題を達成することができ、当業者予測不可能な顕著な効果を奏することができた。
【図面の簡単な説明】
【０００９】
【図１】図１（Ａ）図と図１（Ｃ）図は、ぬいぐるみ玩具９９の後頭部の表層内側部に内蔵された第１マグネットＭ１と、装着具Ｆに具備された第２のマグネットＭ２を表す図である。図１（Ｂ）図と図１（Ｄ）図は、被装着体Ｃにぬいぐるみ玩具９９を装着する際の使用状態を示す図である。装着具Ｆに具備された第２のマグネットＭ２表す図である。
【図２】図２（Ａ）図と図２（Ｃ）図は、座った姿態のぬいぐるみ玩具９９の臀部の表層内側部に内蔵された第１のマグネットＭ１と装着具Ｆに具備された第２のマグネットＭ２を表す図である。図２（Ａ）図の装着具Ｆに具備された第２のマグネットＭ２が１個であるのに対して、図２（Ｃ）図の装着具Ｆに具備された第２のマグネットＭ２が２個である。図２（Ｃ）図は、ぬいぐるみ玩具９９の背面図を表す。図２（Ｄ）図は、ぬいぐるみ玩具９９の左側面図を表す。ぬいぐるみ玩具９９の右側面図は、ぬいぐるみ玩具９９の左側面図と対象に表れるので省略する。
【図３】図３（Ａ）図と図３（Ｂ）図は、第１のマグネットＭ１を袋に入れる状態を表している。図３（Ｃ）図は、袋とじされ、袋に内蔵された第１のマグネットＭ１を、ぬいぐるみ玩具９９の後頭部の開口部から当該後頭部の表層内側部に内蔵する状態図を表している。図３（Ｄ）図は、袋とじされ、袋に内蔵された第１のマグネットＭ１を、ぬいぐるみ玩具９９の後頭部の開口部から当該後頭部の表層内側部に内蔵させた後、当該後頭部の開口部を閉じた状態図を表している。
【図４】図４（Ａ）図とは、第２のマグネットＭ２が１個具備された装着具Ｆの平面図を表す。図４（Ｂ）図とは、第２のマグネットＭ２が１個具備された装着具Ｆ  の背面図を表す。図４（Ｃ）図とは、第２のマグネットＭ２が１個具備された装着具Ｆの正面図を表す。
【図５】図５（Ａ）図とは、第２のマグネットＭ２が２個具備された装着具Ｆの平面図を表す。図５（Ｂ）図とは、第２のマグネットＭ２が２個具備された装着具Ｆの背面図を表す。図５（Ｃ）図とは、第２のマグネットＭ２が２個具備された装着具Ｆの正面図を表す。
【図６】図６は、ぬいぐるみ玩具９９の正面図を表す。
【図７】図７左図は、被装着体（衣服の型部）の下に第２のマグネットＭ２が具備された装着具Ｆを装着して、第１マグネットＭ１を内蔵したぬいぐるみ玩具９９を載せて移動する使用態様を表す図である。図７中央図は、被装着体（衣服の腹部）の下に第２のマグネットＭ２が具備された装着具Ｆを装着して、第１マグネットＭ１を内蔵したぬいぐるみ玩具９９をぶら下げて移動する使用態様を表す図である。図７右図は、被装着体（バッグ全面）の中に第２のマグネットＭ２が具備された装着具Ｆを装着して、第１マグネットＭ１を内蔵したぬいぐるみ玩具９９をぶら下げて移動する使用態様を表す図である。
【図８】図８は、ぬいぐるみ玩具９９の後頭部の表層内側部に内蔵された第１マグネットＭ１と装着具Ｆに具備された第２のマグネットＭ２と被装着体Ｃがぬいぐるみ玩具９９の「自重と動荷重」を支える機構を示す図である。
【図９】図９は、座った姿態のぬいぐるみ玩具９９の臀部の表層内側部に内蔵された第１マグネットＭ１と装着具Ｆに具備された第２のマグネットＭ２と被装着体Ｃがぬいぐるみ玩具９９の動荷重を支えてぬいぐるみ玩具９９が被装着体Ｃからのずれを防止する機構を示す図である。
【図１０】図１０は、被装着体Ｃにぬいぐるみ玩具９９を装着する際は、第１のマグネットＭ１と第２のマグネットＭ２間のズレΔ（ｃｍ）がある値より小さいと、第１のマグネットＭ１と第２のマグネットＭ２が双方の磁極軸を自動的に一致させて磁着することを示す図である。
【符号の説明】
【００１０】
Ｍ……マグネット
Ｍ１……第１のマグネット
Ｍ２……第２のマグネット
９９……ぬいぐるみ玩具
Ｆ……装着具
９……表層（布地）
Ｌ１……第１のマグネットＭ１の軸線
Ｌ２……第２のマグネットＭ２の軸線
Ｐ……磁着圧縮力
μ……摩擦係数
Ｔ……磁石求心力
Δ……第１のマグネットＭ１の軸線と第２のマグネットＭ２の軸線のズレ
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せ。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
【請求項２】
第１のマグネットＭ１及び第２のマグネットＭ２が、丸磁石又は角磁石であり、垂直方向の装着具Ｆにも第２のマグネットＭ２が、左右対称に具備されることを特徴とする請求項１に記載されたぬいぐるみ玩具９９と装着具Ｆとの組合せ。
【請求項３】
被装着体Ｃがバッグ又は被服であることを特徴とする請求項１〜２の何れかに記載されたぬいぐるみ玩具９９と装着具Ｆとの組合せ。
【請求項４】
装着具Ｆが、シリコンシートに第２のマグネットＭ２を内蔵させたものであることを特徴とする請求項１〜３の何れかに記載されたぬいぐるみ玩具９９と装着具Ｆとの組合せ。
【請求項５】
第１マグネットＭ１が２個内蔵され、装着具ＦにもマグネットＭ２が２個具備されたことを特徴とする請求項１〜４の何れかに記載されたぬいぐるみ玩具９９と装着具Ｆとの組合せ。
【手続補正２】
【補正対象書類名】明細書
【補正対象項目名】全文
【補正方法】変更
【補正の内容】
【発明の詳細な説明】
【技術分野】
【０００１】
本発明は、ぬいぐるみ玩具と装着具との組合せに関する。
【背景技術】
【０００２】
従来、ぬいぐるみ玩具を人が移動させる場合、手に持って歩きながら移動させていた。
しかしながら、人が、ぬいぐるみ玩具を手に持つために手が塞がってしまい、他の作業をするには不便であった。
【発明の開示】
【０００３】
かかる従来技術の欠点に鑑みて、ぬいぐるみ玩具をバッグにワンタッチで装着可能で、被服にワンタッチで装着可能なぬいぐるみ玩具と装着具の組合せの出現が望まれていた。
【先行技術文献】
【特許文献】
【０００４】
本願発明に係るぬいぐるみ玩具と装着具との組合せについて、ＦＩ、キーワード検索を行ったところ、本件発明（ぬいぐるみ玩具と装着具との組合せ）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
人が着る衣服あるいは身の回り品又はバッグに２次元的模様を付すのではなく、立体的なぬいぐるみ玩具を人が着る衣服あるいは身の回り品又はバッグに装着することによって、斬新なデザインを提供することが可能なぬいぐるみ玩具と装着具との組合せを提供することである。
○本発明が解決しようとする第２課題
本発明が解決しようとする第２課題は、
人が着る衣服あるいは身の回り品又はバッグの種類を選ばず自在に装着することが可能なぬいぐるみ玩具と装着具との組合せを提供することである。
○本発明が解決しようとする第３課題
本発明が解決しようとする第３課題は、
人が着る衣服あるいは身の回り品又はバッグの種類を選ばず自在に装着することが可能なぬいぐるみ玩具と装着具との組合せにあっては、人が歩く際の衝撃等によって、ぬいぐるみ玩具の自重の他に動荷重を受けるが、摩擦力に依存するだけではなく、磁石の力によってもぬいぐるみ玩具の（自重＋動荷重）を牽引して支えるぬいぐるみ玩具と装着具との組合せを提供することである。
○本発明が解決しようとする第４課題
本発明が解決しようとする第４課題は、
人が着る衣服あるいは身の回り品又はバッグの種類を選ばず自在に装着することが可能なぬいぐるみ玩具と装着具との組合せにあっては、被装着体にぬいぐるみ玩具を装着する際は、被装着体を挟んで、２つのマグネットが最大の磁力作用を発揮できるような状態に自動的に磁着することができるぬいぐるみ玩具と装着具との組合せを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○マグネットＭとは、平板状の磁石であって一方の面がＳ極で一方の面がＮ極の磁石をいう。
マグネットＭは、例えば、円形断面の円柱であり、例えば、長方形断面の四角柱（直方体）である。
本発明において、マグネットＭとは、第１のマグネットＭ１、第２のマグネットＭ２である。
第１のマグネットＭ１、第２のマグネットＭ２の断面形状が等しいことが望ましい。第１のマグネットＭ１と第２のマグネットＭ２の対峙する面が重なる面積が大きい程、第１のマグネットＭ１と第２のマグネットＭ２に働く圧縮力Ｐ（すなわち摩擦力μＰ、μ’Ｐ）及び磁石求心力Ｔを最大にするからである。
○第１のマグネットＭ１とは、ぬいぐるみ玩具９９の後頭部の表層内側部に内蔵された磁石、又は、座った姿態のぬいぐるみ玩具９９の臀部の表層内側部に内蔵された磁石をいう。
○第２のマグネットＭ２とは、装着具Ｆに具備された磁石をいう。
○ぬいぐるみ玩具９９とは、芯にする物を布等で包んで縫い合わせて、人や動物等の形に作った玩具をいう。人や動物の形の他、花、植物、怪獣、キャラクタ等の形も含む。
○装着具Ｆとは、第２のマグネットＭ２を具備してなり、ぬいぐるみ玩具９９と被装着体Ｃを挟んで、ぬいぐるみ玩具９９の「自重と動荷重」を支える、あるいは、ぬいぐるみ玩具９９と被装着体Ｃがずれるのを防止するものである。
例えば、装着具Ｆが、シリコンシートに第２のマグネットＭ２を内蔵させたものが例示される。
○表層とは、ぬいぐるみ玩具９９の布地の部分をいう。
○表層内側部とは、ぬいぐるみ玩具９９の表層（布地）の極内側近傍をいう。ぬいぐるみ玩具９９に内蔵されるマグネットＭ１と装着具Ｆに内蔵されたマグネットＭ２の磁力は、マグネットＭ１とマグネットＭ２の距離は近ければ近い程望ましいからである。
○第１のマグネットＭ１が内蔵されとは、例えば、第１のマグネットＭ１は袋体で包装されてなり、袋体はぬいぐるみ玩具９９と結合されてり、第１のマグネットＭはぬいぐるみ玩具９９に固着されてなる。
○装着具Ｆにも第２のマグネットＭ２が具備されてなりとは、例えば、装着具Ｆがシリコンシートであり、第２のマグネットＭ２は装着具Ｆに一体として固着されている。
○磁極軸とは、マグネットＭにおいて、Ｓ極とＮ極を結ぶ軸線をいう。
○磁極軸の向きとは、磁極軸においてＳ極からＮ極へ向かう方向をいう。正負の区別をする。すなわち、Ｓ極からＮ極へ向かう方向が正の向きであり、Ｎ極からＳ極へ向かう方向を負の向き（逆向き）である。
ぬいぐるみ玩具９９と装着具Ｆを被装着体Ｃに装着する場合、を第１のマグネットＭ１の磁極軸の向きと第２のマグネットＭ２の磁極軸の向きは一致させるようにすることが必須である（図８、図９）。
厳格に一致させなくとも、第１のマグネットＭ１と第２のマグネットＭ２の間には、磁石求心力Ｔの復元力が働き、第１のマグネットＭ１の磁極軸と第２のマグネットＭ２の磁極軸は自動的に一致させるように働き、両磁極軸が自動的に一致すれば、第１のマグネットＭ１と第２のマグネットＭ２の対峙する面が自動的に一致するように働き、第１のマグネットＭ１と第２のマグネットＭ２に働く圧縮力Ｐ（すなわち摩擦力μＰ、μ’Ｐ）及び磁石求心力Ｔを自動的に最大にするように働くという当業者が予測できない顕著な効果を発揮する（図８、図９、図１０）。
○ぬいぐるみ玩具９９を被装着体Ｃに装着する場合、第１のマグネットＭ１と第２のマグネットＭ２の磁極軸の向きが、略同じ方向になるような状態に設定される。
そして、第１のマグネットＭ１と第２のマグネットＭ２は引き合って磁着圧縮力Ｐを生じさせると共に、マグネットＭ１と被装着体Ｃの間には、摩擦力μＰが生じ、同時に、マグネットＭ２と被装着体Ｃの間には、摩擦力μ’Ｐが生じる。
さらに、見逃し易い力ながら、第１のマグネットＭ１と第２のマグネットＭ２間に働く磁石求心力Ｔが生じる。
２つの力、摩擦力μＰ、磁石求心力Ｔによって、被装着体Ｃがぬいぐるみ玩具９９の「自重と動荷重」Ｗを支えるので、
μＰ＋Ｔ＝Ｗが成立する。
ここに、摩擦力μ’Ｐは、第１のマグネットＭ１と第２のマグネットＭ２間に働く磁石求心力Ｔと被装着体Ｃの自重＋動荷重Ｗ’によって生じ、
μ’Ｐ＝Ｔ＋Ｗ’が成立する。
○磁着圧縮力Ｐとは、被装着体Ｃを挟んで、第１のマグネットＭ１と第２のマグネットＭ２が磁着することによって、第１のマグネットＭ１と第２のマグネットＭ２の間に生じる圧縮力をいう。
○摩擦係数μとは、ぬいぐるみ玩具９９と被装着体Ｃの摩擦係数（無次元数）をいう。
○摩擦係数μ’とは、装着具Ｆと被装着体Ｃの摩擦係数（無次元数）をいう。
○磁石求心力Ｔとは、マグネットＭ１の軸線と、マグネットＭ２の軸線がΔだけずれた場合、マグネットＭ１の軸線と、マグネットＭ２の軸線を一致させるように働く復元力である（図１０）。
マグネットＭ１の軸線と、マグネットＭ２の軸線がΔだけずれた場合、磁石求心力Ｔは、下式で与えられる（図１０）。
Ｔ＝Ｋ＊Δ……（１）式
ここに、Δ：第１のマグネットＭ１の軸線と第２のマグネットＭ２の軸線のズレ（ｃｍ）、Ｋ：定数（Ｋｇ重／ｃｍ）
○外側とは、ぬいぐるみ玩具９９の内側から外側に向かう方向をいう。
○内側とは、ぬいぐるみ玩具９９の外側から内側に向かう方向をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜記号の説明＞
Ｐ：磁着圧縮力（Ｋｇ重）
μ：ぬいぐるみ玩具９９と被装着体Ｃの摩擦係数（無次元数）
μ’：装着具Ｆと被装着体Ｃの摩擦係数（無次元数）
Ｔ：磁石求心力（ｋｇ重）…図８においては、ぬいぐるみ玩具９９には半重力方向に作用する。  
Ｔ＝Ｋ＊Δ……（１）式
磁石求心力Ｔ（ｋｇ重）とは、２つのマグネットＭ１、Ｍ２がΔだけずれた場合、下式で与えられる力をいう。
Ｔ＝Ｋ＊Δ……（１）式
ここに、Δ：第１のマグネットＭ１の軸線と第２のマグネットＭ２の軸線のズレ（ｃｍ）、Ｋ：定数（Ｋｇ重／ｃｍ）
μＰ：ぬいぐるみ玩具９９と被装着体Ｃの間に作用する垂直方向の摩擦力（ｋｇ重）
μ’Ｐ：装着具Ｆと被装着体Ｃの間に作用する垂直方向の摩擦力（ｋｇ重）
Ｗ：ぬいぐるみ玩具９９の重力方向に作用する「自重＋動荷重」（ｋｇ重）
ここに、ぬいぐるみ玩具９９の中には第１マグネットＭ１が内蔵されており、Ｗには第１マグネットＭ１の自重＋動荷重が含まれる。
Ｗ’：装着具Ｆの自重＋動荷重（ｋｇ重）
ここに、ぬいぐるみ玩具９９の中には第２マグネットＭ２が具備されており、Ｗ’には第２マグネットＭ２の自重＋動荷重が含まれる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜ぬいぐるみ玩具９９と装着具Ｆと被装着体Ｃとの間に作用する力の釣り合い式＞…図８において
図８において、被装着体Ｃの両面に垂直方向に圧縮力Ｐが作用し、被装着体Ｃの両面には、反重力方向に、摩擦力μＰ、μ’Ｐが作用する。
ぬいぐるみ玩具９９には、荷重（Ｗ−Ｔ）が重力方向に作用する。かかる荷重を摩擦力μＰにより支える。このことを数式化して下式を得る。
μＰ＝Ｗ−Ｔ……（ａ）式
変形すれば、
Ｗ＝μＰ＋Ｔ……（Ａ）式
一方、装着具Ｆには、荷重（Ｗ’＋Ｔ）が作用する。かかる荷重を摩擦力μ’Ｐにより支える。このことを数式化して下式を得る。
μ’Ｐ＝Ｗ’＋Ｔ……（ｂ）式
変形すれば、
Ｔ＝μ’Ｐ−Ｗ’……（Ｂ）式
発明者は、第１マグネットＭ１と第２マグネットＭ２の間に、圧縮力Ｐが作用する以外にも、磁石求心力Ｔが発生することを発見し、
（Ａ）式から、ぬいぐるみ玩具９９の自重＋動荷重Ｗを、摩擦力μＰと磁石求心力Ｔにより支えることを発見した。
しかしながら、（Ｂ）式において、装着具Ｆの自重＋動荷重Ｗ’は、ぬいぐるみ玩具９９の自重＋動荷重Ｗに比較して非常に小さいので、
Ｔ≒μ’Ｐ……（Ｂ’）式
と近似できる。すなわち、摩擦力μ’Ｐは磁石求心力Ｔを支えるようにする必要が有る。
ここにおいて、摩擦力μ’Ｐを大きくするためには、圧縮力Ｐを大きくする他、摩擦係数μ’を大きくする必要が有るが、例えばシリコンシート面と被装着体Ｃの摩擦係数μ’を大きくする必要が有るが、ぬいぐるみ玩具９９の布地面と被装着体Ｃの摩擦係数μを大きくするよりも簡単である。
したがって、磁石求心力Ｔは、圧縮力Ｐに負けず劣らず大きな力なので（摩擦力μＰＰに負けず劣らず大きな力なので）、ぬいぐるみ玩具９９の自重＋動荷重Ｗを、摩擦力μＰと磁石求心力Ｔにより支えることを想到したことは、非常に落下し難いぬいぐるみ玩具９９と装着具Ｆとの組合せの発明を完成させたことになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜ぬいぐるみ玩具９９と装着具Ｆと被装着体Ｃとの間に作用する力の釣り合い式＞…図９において
図９において、被装着体Ｃの両面に垂直方向に圧縮力Ｐが作用し、被装着体Ｃの両面には、水平方向に、摩擦力μＰ、μ’Ｐが作用する。
ぬいぐるみ玩具９９には、荷重（Ｗ−Ｔ）が作用する。かかる荷重を摩擦力μＰにより支える。このことを数式化して下式を得る。
μＰ＝Ｗ−Ｔ……（ａ）式
変形すれば、
Ｗ＝μＰ＋Ｔ……（Ａ）式
一方、装着具Ｆには、荷重（Ｗ’＋Ｔ）が作用する。かかる荷重を摩擦力μ’Ｐにより支える。このことを数式化して下式を得る。
μ’Ｐ＝Ｗ’＋Ｔ……（ｂ）式
変形すれば、
Ｔ＝μ’Ｐ−Ｗ’……（Ｂ）式
発明者は、第１マグネットＭ１と第２マグネットＭ２の間に、圧縮力Ｐが作用する以外にも、磁石求心力Ｔが発生することを発見し、
（Ａ）式から、ぬいぐるみ玩具９９の動荷重Ｗを、摩擦力μＰと磁石求心力Ｔにより支えることを発見した。
しかしながら、（Ｂ）式において、装着具Ｆの動荷重Ｗ’は、ぬいぐるみ玩具９９の動荷重Ｗに比較して非常に小さいので、Ｔ≒μ’Ｐと近似できる。すなわち、摩擦力μ’Ｐは磁石求心力Ｔを支えるようにする必要が有る。
ここにおいて、摩擦力μ’Ｐを大きくするためには、圧縮力Ｐを大きくする他、摩擦係数μ’を大きくする必要が有るが、例えばシリコンシート面と被装着体Ｃの摩擦係数μ’を大きくする必要が有るが、ぬいぐるみ玩具９９の布地面と被装着体Ｃの摩擦係数μを大きくするよりも簡単である。
したがって、磁石求心力Ｔは、圧縮力Ｐに負けず劣らず大きな力なので（摩擦力μＰに負けず劣らず大きな力なので）、ぬいぐるみ玩具９９の自重＋動荷重Ｗを、摩擦力μＰと磁石求心力Ｔにより支えることを想到したことは、非常に落下し難いぬいぐるみ玩具９９と装着具Ｆとの組合せの発明を完成させたことになる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せである。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
○第２の発明（請求項２に記載の発明）
上記の課題を解決するための第２の発明（請求項2に記載の発明）は、
第１のマグネットＭ１及び第２のマグネットＭ２が、丸磁石又は角磁石であり、垂直方向の装着具Ｆにも第２のマグネットＭ２が、左右対称に具備されることを特徴とする請求項１に記載されたぬいぐるみ玩具９９と装着具Ｆとの組合せである。
○第３の発明（請求項３に記載の発明）
上記の課題を解決するための第３の発明（請求項３に記載の発明）は、
被装着体Ｃがバッグ又は被服であることを特徴とする請求項１〜２の何れかに記載されたぬいぐるみ玩具９９と装着具Ｆとの組合せである。
○第４の発明（請求項４に記載の発明）
上記の課題を解決するための第４の発明（請求項４に記載の発明）は、
装着具Ｆが、シリコンシートに第２のマグネットＭ２を内蔵させたものであることを特徴とする請求項１〜３の何れかに記載されたぬいぐるみ玩具９９と装着具Ｆとの組合せである。
○第５の発明（請求項５に記載の発明）
上記の課題を解決するための第５の発明（請求項５に記載の発明）は、
第１マグネットＭ１が２個内蔵され、装着具ＦにもマグネットＭ２が２個具備されたことを特徴とする請求項１〜４の何れかに記載されたぬいぐるみ玩具９９と装着具Ｆとの組合せである。
【発明の効果】
【０００７】
本発明に係るぬいぐるみ玩具９９と装着具Ｆとの組合せは、上記のような特徴的構成要件から構成され、特徴的構成要件に応じた、以下のような本願発明特有の効果を奏する。
また、上記の各発明に応じた、上記のような特徴的構成要件から構成されたぬいぐるみ玩具９９と装着具Ｆとの組合せによれば、本願発明の課題を十分解消することができた。
○第１の発明の効果
第１の発明によれば、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せ。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
という特徴的な構成要件により、本発明が解決しようとする第１課題〜第４課題を達成することができ、当業者予測不可能な顕著な効果を奏することができた。  
○第２の発明の効果
第２の発明によれば、
座った姿態のぬいぐるみ玩具９９の臀部の表層内側部に第１のマグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、被装着体Ｃを挟んで、第１のマグネットＭ１と第２のマグネットＭ２が双方の磁極軸を自動的に一致させて磁着することによって、第１のマグネットＭ１と第２のマグネットＭ２の磁着圧縮力Ｐによるぬいぐるみ玩具９９と被装着体Ｃの摩擦力μＰと、第１のマグネットＭ１と第２のマグネットＭ２間に働く磁石求心力Ｔによって、ぬいぐるみ玩具９９が被装着体Ｃからのずれを防止することという特徴的な構成要件により、本発明が解決しようとする第１課題〜第４課題を達成することができ、当業者予測不可能な顕著な効果を奏することができた。
○第２の発明の効果
第２の発明によれば、
第１のマグネットＭ１及び第２のマグネットＭ２が、丸磁石又は角磁石であり、垂直方向の装着具Ｆにも第２のマグネットＭ２が、左右対称に具備されることという特徴的な構成要件により、本発明が解決しようとする第１課題〜第４課題を達成することができ、当業者予測不可能な顕著な効果を奏することができた。
○第３の発明の効果
第３の発明によれば、
被装着体Ｃがバッグ又は被服であることという特徴的な構成要件により、本発明が解決しようとする第１課題〜第４課題を達成することができ、当業者予測不可能な顕著な効果を奏することができた。
○第４の発明の効果
第４の発明によれば、
装着具Ｆが、シリコンシートに第２のマグネットＭ２を内蔵させたものであることという特徴的な構成要件により、本発明が解決しようとする第１課題〜第４課題を達成することができ、当業者予測不可能な顕著な効果を奏することができた。
○第５の発明の効果
第５の発明によれば、
第１マグネットＭ１が２個内蔵され、装着具ＦにもマグネットＭ２が２個具備されたことという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、ぬいぐるみ玩具９９と装着具Ｆとの組合せに関する最良の実施形態について、図面を参照しながら説明する。
［図１］図１（Ａ）図と図１（Ｃ）図は、ぬいぐるみ玩具９９の後頭部の表層内側部に内蔵された第１マグネットＭ１と、装着具Ｆに具備された第２のマグネットＭ２を表す図である。図１（Ｂ）図と図１（Ｄ）図は、被装着体Ｃにぬいぐるみ玩具９９を装着する際の使用状態を示す図である。装着具Ｆに具備された第２のマグネットＭ２表す図である。
［図２］図２（Ａ）図と図２（Ｃ）図は、座った姿態のぬいぐるみ玩具９９の臀部の表層内側部に内蔵された第１のマグネットＭ１と装着具Ｆに具備された第２のマグネットＭ２を表す図である。図２（Ａ）図の装着具Ｆに具備された第２のマグネットＭ２が１個であるのに対して、図２（Ｃ）図の装着具Ｆに具備された第２のマグネットＭ２が２個である。図２（Ｃ）図は、ぬいぐるみ玩具９９の背面図を表す。図２（Ｄ）図は、ぬいぐるみ玩具９９の左側面図を表す。ぬいぐるみ玩具９９の右側面図は、ぬいぐるみ玩具９９の左側面図と対象に表れるので省略する。
［図３］図３（Ａ）図と図３（Ｂ）図は、第１のマグネットＭ１を袋に入れる状態を表している。図３（Ｃ）図は、袋とじされ、袋に内蔵された第１のマグネットＭ１を、ぬいぐるみ玩具９９の後頭部の開口部から当該後頭部の表層内側部に内蔵する状態図を表している。図３（Ｄ）図は、袋とじされ、袋に内蔵された第１のマグネットＭ１を、ぬいぐるみ玩具９９の後頭部の開口部から当該後頭部の表層内側部に内蔵させた後、当該後頭部の開口部を閉じた状態図を表している。
［図４］図４（Ａ）図とは、第２のマグネットＭ２が１個具備された装着具Ｆの平面図を表す。図４（Ｂ）図とは、第２のマグネットＭ２が１個具備された装着具Ｆの背面図を表す。図４（Ｃ）図とは、第２のマグネットＭ２が１個具備された装着具Ｆの正面図を表す。
［図５］図５（Ａ）図とは、第２のマグネットＭ２が２個具備された装着具Ｆの平面図を表す。図５（Ｂ）図とは、第２のマグネットＭ２が２個具備された装着具Ｆの背面図を表す。図５（Ｃ）図とは、第２のマグネットＭ２が２個具備された装着具Ｆの正面図を表す。
［図６］図６は、ぬいぐるみ玩具９９の正面図を表す。
［図７］図７左図は、被装着体（衣服の型部）の下に第２のマグネットＭ２が具備された装着具Ｆを装着して、第１マグネットＭ１を内蔵したぬいぐるみ玩具９９を載せて移動する使用態様を表す図である。図７中央図は、被装着体（衣服の腹部）の下に第２のマグネットＭ２が具備された装着具Ｆを装着して、第１マグネットＭ１を内蔵したぬいぐるみ玩具９９をぶら下げて移動する使用態様を表す図である。図７右図は、被装着体（バッグ全面）の中に第２のマグネットＭ２が具備された装着具Ｆを装着して、第１マグネットＭ１を内蔵したぬいぐるみ玩具９９をぶら下げて移動する使用態様を表す図である。
［図８］図８は、ぬいぐるみ玩具９９の後頭部の表層内側部に内蔵された第１マグネットＭ１と装着具Ｆに具備された第２のマグネットＭ２と被装着体Ｃがぬいぐるみ玩具９９の「自重と動荷重」を支える機構を示す図である。
［図９］図９は、座った姿態のぬいぐるみ玩具９９の臀部の表層内側部に内蔵された第１マグネットＭ１と装着具Ｆに具備された第２のマグネットＭ２と被装着体Ｃがぬいぐるみ玩具９９の動荷重を支えてぬいぐるみ玩具９９が被装着体Ｃからのずれを防止する機構を示す図である。
［図１０］図１０は、被装着体Ｃにぬいぐるみ玩具９９を装着する際は、第１のマグネットＭ１と第２のマグネットＭ２間のズレΔ（ｃｍ）がある値より小さいと、第１のマグネットＭ１と第２のマグネットＭ２が双方の磁極軸を自動的に一致させて磁着することを示す図である。
以下、本発明に係る、ぬいぐるみ玩具９９と装着具Ｆとの組合せについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せが開示されている。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
Ｐ：磁着圧縮力（Ｋｇ重）、μ：ぬいぐるみ玩具９９と被装着体Ｃの摩擦係数（無次元数）、Ｔ：磁石求心力（ｋｇ重）  
○第１の発明の効果
第１の発明によれば、
ぬいぐるみ玩具９９と装着具Ｆとの組合せにおいて、
ぬいぐるみ玩具９９と装着具Ｆとの組合せにおいて、ぬいぐるみ玩具９９の後頭部の表層内側部に第１マグネットＭ１が内蔵され、装着具Ｆにも第２のマグネットＭ２が具備され、第１マグネットＭ１磁極軸の向きが外側又は内側を向いてなり、被装着体Ｃにぬいぐるみ玩具９９を装着する際は、垂直方向の被装着体Ｃを挟んで、第１のマグネットＭ１と第２のマグネットＭ２が双方の磁極軸を自動的に一致させて磁着することによって、
（Ａ）式で表される通り、ぬいぐるみ玩具９９と被装着体Ｃの摩擦力μＰと、第１のマグネットＭ１と第２のマグネットＭ２間に働く磁石求心力Ｔによって、被装着体Ｃがぬいぐるみ玩具９９の「自重と動荷重」Ｗを支えると共に
（Ｂ’）式で近似される通り、摩擦力μ’Ｐが、磁石求心力Ｔを支えることを特徴とするぬいぐるみ玩具９９と装着具Ｆとの組合せ。
ここに、
磁極軸とは、Ｓ極とＮ極の軸線をいう。
磁極軸の向きは、Ｓ極からＮ極へ向かう方向を指すものとする。
外側とは、ぬいぐるみ玩具９９の内側から外側に向かう方向をいう。
内側とは、ぬいぐるみ玩具９９の内側から外側に向かう方向をいう。
（１）Ｗ＝μＰ＋Ｔ……（Ａ）式
ここに、
μＰ：ぬいぐるみ玩具９９と被装着体Ｃの摩擦力（Ｋｇ重）、μＰ＝μ×Ｐで与えられる。
Ｐ：第１のマグネットＭ１と第２のマグネットＭ２の磁着圧縮力（Ｋｇ重）
μ：ぬいぐるみ玩具９９と被装着体Ｃの摩擦係数（無次元数）
Ｔ：第１のマグネットＭ１と第２のマグネットＭ２間に働く磁石求心力（ｋｇ重）
（２）Ｔ≒μ’Ｐ……（Ｂ’）式
ここに、
μ’Ｐ：マグネットＭ２と被装着体Ｃの摩擦力摩擦力（Ｋｇ重）μ’Ｐ＝μ’×Ｐで与えられる。
Ｐ：第１のマグネットＭ１と第２のマグネットＭ２の磁着圧縮力（Ｋｇ重）
μ：装着具Ｆと被装着体Ｃの摩擦係数（無次元数）
Ｔ：第１のマグネットＭ１と第２のマグネットＭ２間に働く磁石求心力（ｋｇ重）
という特徴的な構成要件により、本発明が解決しようとする第１課題〜第４課題を達成することができ、当業者予測不可能な顕著な効果を奏することができた。  
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
第１のマグネットＭ１及び第２のマグネットＭ２が、丸磁石又は角磁石であり、垂直方向の装着具Ｆにも第２のマグネットＭ２が、左右対称に具備されることを特徴とする請求項１に記載されたぬいぐるみ玩具９９と装着具Ｆとの組合せが開示されている。
○第２の発明の効果
第２の発明によれば、
第１のマグネットＭ１及び第２のマグネットＭ２が、丸磁石又は角磁石であり、垂直方向の装着具Ｆにも第２のマグネットＭ２が、左右対称に具備されることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
被装着体Ｃがバッグ又は被服であることを特徴とする請求項１〜３の何れかに記載されたぬいぐるみ玩具９９と装着具Ｆとの組合せが開示されている。
○第３の発明の効果
第３の発明によれば、
被装着体Ｃがバッグ又は被服であることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
装着具Ｆが、シリコンシートに第２のマグネットＭ２を内蔵させたものであることを特徴とする請求項１〜４の何れかに記載されたぬいぐるみ玩具９９と装着具Ｆとの組合せが開示されている。
○第４の発明の効果
第４の発明によれば、
装着具Ｆが、シリコンシートに第２のマグネットＭ２を内蔵させたものであることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のぬいぐるみ玩具９９と装着具Ｆとの組合せにおいて、
第１マグネットＭ１が２個内蔵され、装着具ＦにもマグネットＭ２が２個具備されたことを特徴とする請求項１〜５の何れかに記載されたぬいぐるみ玩具９９と装着具Ｆとの組合せが開示されている。
○第５の発明の効果
第５の発明によれば、
第１マグネットＭ１が２個内蔵され、装着具ＦにもマグネットＭ２が２個具備されたことという特徴的な構成要件により、本発明が解決しようとする第１課題〜第４課題を達成することができ、当業者予測不可能な顕著な効果を奏することができた。
【図面の簡単な説明】
【０００９】
【図１】図１（Ａ）図と図１（Ｃ）図は、ぬいぐるみ玩具９９の後頭部の表層内側部に内蔵された第１マグネットＭ１と、装着具Ｆに具備された第２のマグネットＭ２を表す図である。図１（Ｂ）図と図１（Ｄ）図は、被装着体Ｃにぬいぐるみ玩具９９を装着する際の使用状態を示す図である。装着具Ｆに具備された第２のマグネットＭ２を表す図である。
【図２】図２（Ａ）図と図２（Ｃ）図は、座った姿態のぬいぐるみ玩具９９の臀部の表層内側部に内蔵された第１のマグネットＭ１と装着具Ｆに具備された第２のマグネットＭ２を表す図である。図２（Ａ）図の装着具Ｆに具備された第２のマグネットＭ２が１個であるのに対して、図２（Ｃ）図の装着具Ｆに具備された第２のマグネットＭ２が２個である。図２（Ｃ）図は、ぬいぐるみ玩具９９の背面図を表す。図２（Ｄ）図は、ぬいぐるみ玩具９９の左側面図を表す。ぬいぐるみ玩具９９の右側面図は、ぬいぐるみ玩具９９の左側面図と対象に表れるので省略する。
【図３】図３（Ａ）図と図３（Ｂ）図は、第１のマグネットＭ１を袋に入れる状態を表している。図３（Ｃ）図は、袋とじされ、袋に内蔵された第１のマグネットＭ１を、ぬいぐるみ玩具９９の後頭部の開口部から当該後頭部の表層内側部に内蔵する状態図を表している。図３（Ｄ）図は、袋とじされ、袋に内蔵された第１のマグネットＭ１を、ぬいぐるみ玩具９９の後頭部の開口部から当該後頭部の表層内側部に内蔵させた後、当該後頭部の開口部を閉じた状態図を表している。
【図４】図４（Ａ）図とは、第２のマグネットＭ２が１個具備された装着具Ｆの平面図を表す。図４（Ｂ）図とは、第２のマグネットＭ２が１個具備された装着具Ｆの背面図を表す。図４（Ｃ）図とは、第２のマグネットＭ２が１個具備された装着具Ｆの正面図を表す。
【図５】図５（Ａ）図とは、第２のマグネットＭ２が２個具備された装着具Ｆの平面図を表す。図５（Ｂ）図とは、第２のマグネットＭ２が２個具備された装着具Ｆの背面図を表す。図５（Ｃ）図とは、第２のマグネットＭ２が２個具備された装着具Ｆの正面図を表す。
【図６】図６は、ぬいぐるみ玩具９９の正面図を表す。
【図７】図７左図は、被装着体（衣服の型部）の下に第２のマグネットＭ２が具備された装着具Ｆを装着して、第１マグネットＭ１を内蔵したぬいぐるみ玩具９９を載せて移動する使用態様を表す図である。図７中央図は、被装着体（衣服の腹部）の下に第２のマグネットＭ２が具備された装着具Ｆを装着して、第１マグネットＭ１を内蔵したぬいぐるみ玩具９９をぶら下げて移動する使用態様を表す図である。図７右図は、被装着体（バッグ全面）の中に第２のマグネットＭ２が具備された装着具Ｆを装着して、第１マグネットＭ１を内蔵したぬいぐるみ玩具９９をぶら下げて移動する使用態様を表す図である。
【図８】図８は、ぬいぐるみ玩具９９の後頭部の表層内側部に内蔵された第１マグネットＭ１と装着具Ｆに具備された第２のマグネットＭ２と被装着体Ｃがぬいぐるみ玩具９９の「自重と動荷重」を支える機構を示す図である。
【図９】図９は、座った姿態のぬいぐるみ玩具９９の臀部の表層内側部に内蔵された第１マグネットＭ１と装着具Ｆに具備された第２のマグネットＭ２と被装着体Ｃがぬいぐるみ玩具９９の動荷重を支えてぬいぐるみ玩具９９が被装着体Ｃからのずれを防止する機構を示す図である。
【図１０】図１０は、被装着体Ｃにぬいぐるみ玩具９９を装着する際は、第１のマグネットＭ１と第２のマグネットＭ２間のズレΔ（ｃｍ）がある値より小さいと、第１のマグネットＭ１と第２のマグネットＭ２が双方の磁極軸を自動的に一致させて磁着することを示す図である。
【符号の説明】
【００１０】
Ｍ……マグネット
Ｍ１……第１のマグネット
Ｍ２……第２のマグネット
９９……ぬいぐるみ玩具
Ｆ……装着具
９……表層（布地）
Ｌ１……第１のマグネットＭ１の軸線
Ｌ２……第２のマグネットＭ２の軸線
Ｐ……磁着圧縮力
μ……摩擦係数
Ｔ……磁石求心力
Δ……第１のマグネットＭ１の軸線と第２のマグネットＭ２の軸線のズレ